(57)【要約】【課題】光学的損失がミニマムであって、拡散角度と光照射エリアの制御性に優れ、さらには、どのような発光体にも容易に適用可能であり、加えて低コスト化が可能である光拡散素子を提供する。【解決手段】発光体からでる光の光軸上に設けられ、光軸と略平行に進む光を略散乱させることなく第１の光として通過させる通過部と、前記通過部の周囲に設けられ、光軸から所定角度以上外側に拡がる光を散乱させ第２の光として射出する拡散部とを備えてなり、前記第１の光が照射される領域で規定される光照射エリアに対し、前記拡散部が第２の光を照射してその光照射エリアにおける照度分布を制御するように構成した。【選択図】図１
2005195708.tif 000002
【特許請求の範囲】
【請求項１】
発光体からでる光の光軸上に設けられ、光軸と略平行に進む光を散乱させることなく第１の光として通過させる通過部と、
前記通過部の周囲に設けられ、光軸から所定角度以上外側に拡がる光を散乱させ第２の光として射出する拡散部とを備えてなり、
前記第１の光が照射されて規定される光照射エリアに対し、前記拡散部が第２の光を照射し、その光照射エリアにおける照度分布を制御するように構成していることを特徴とする光拡散素子。
【請求項２】
前記照度分布を所定の均一度に保つように構成している請求項１記載の光拡散素子。
【請求項３】
前記通過部に、光を屈折させる光学素子を設けている請求項１又は２記載の光拡散素子。
【請求項４】
前記拡散部が、光の光軸を側周方から取り囲むように配置された内向きの反射拡散面で構成したものであり、前記通過部がその反射拡散面に取り囲まれて形成される空間に設定したものである請求項１、２又は３記載の光拡散素子。
【請求項５】
前記反射拡散面を光軸に平行な円筒内面に形成している請求項４記載の光拡散素子。
【請求項６】
前記発光体の光射出方向と逆側に設けられ、光射出方向側を向く面方向成分を有した反射面をさらに備えている請求項４又は５記載の光拡散素子。
【請求項７】
前記拡散部が、光を通過させつつ散乱させる透過散乱部材で構成したものである請求項１、２又は３記載の光拡散素子。
【請求項８】
前記発光体が、ＬＥＤ、ＳＬＤ、ＬＤ、ＥＬ素子、冷陰極線源又は光ガイドの光出射端である請求項１、２、３、４、５、６又は７記載の光拡散素子。
【発明の詳細な説明】
【技術分野】
【０００１】  本発明は、市販のＬＥＤといった低発熱タイプの発光体からでる光を拡散し、所定の光照射エリアでの照度分布を制御するための光拡散素子に関するものである。
【背景技術】
【０００２】  照明（光照射）用途では、光の拡散、整形が頻繁に行われる。それは、発光体が発する光には多かれ少なかれ放射ムラがあり、その結果として光照射エリアに、いわゆる照明ムラ（照度分布の不均一さ）が現れるからである。すなわち、発光体が発する生（なま）の全ての光を拡散させ、柔らかな均一性の高い光に加工して照明ムラを解消すると同時に、光照射エリアの照度分布形状を所望の形状に近づけることが、光の拡散・整形処理の目的である。【０００３】  このような目的を達成するために使用される光学素子は、ディフューザ（光拡散素子）と呼ばれ、スリガラスやオパールグラス、ホログラフィックディフューザ等が透過型のものとして知られており、また分光器等に用いるハロン板等が反射型のものとして知られている。【０００４】  スリガラスは、ガラス板の片面乃至両面をサンドブラストなどによって艶消し加工したもので、材料は安価で加工も容易であるため、広く使用されている。オパールグラスは、通常ガラス板を基板としその片面にオパール層を塗布したもので、スリガラスよりも優れた光拡散効果を有する。【０００５】  しかしながら、これらスリガラスやオパールグラスは光拡散特性（拡散角度及び透過効率）の制御性という点で難点を有し、現状ではなんら対策を施せないのが実情である。具体的には、透過効率が極めて低く、到達距離も短いため、発光体にかなり高出力のものを用いざるを得ない。また、拡散角度が必要以上に大きくなるため、所定の光照射エリアに集光するための大口径のレンズや高価なフィルタ等を追加せざるを得ない。そしてこれらのことからエネルギの利用効率、トータルコスト、コンパクト性等の点で不具合が生じる。【０００６】  一方、ホログラフィックディフューザは上述した難点を改善すべく近時開発された素子である。このものは、特許文献等に示すように、コンピュータデザインした５μｍ程度の凹凸溝パターン（ホログラムパターン）をポリカーボネート等の樹脂や合成石英板などの基板上に成形したもので、光の中心輝度を拡散させ、周辺領域に配光することにより、ガウシアン的照度分布を達成し、光照射エリアの均整度を向上させることができる。拡散角度も基本的に任意の角度に設定可能で、光の整形も容易に行える。また透過率も８５％前後と、前記スリガラス等に比べ向上している。【０００７】  とはいえ、このホログラフィックディフューザは高価であるという欠点を有しているうえに、平行光を入射した場合を想定して設計されており、光軸からある拡がり角をもって遠ざかる発散光を入射した場合には、その拡散角度の制御性を維持できない。すなわち、ユーザが任意に購買した発光体の種類によっては、ホログラフィックディフューザの性能を十分に発揮させることができず、その意味では、発光体との組み合わせ相性に制限の強い、いわば使いにくい素子であるということができる。また、透過率という点でも、上述したようにせいぜい８５％程度で、高効率とはいいがたい。【０００８】  このように透過型のディフューザは、透過時にディフューザ表面で反射する光や、あるいは内部で吸収されてしまう光が必ず生じ、効率を一定以上向上させることができない。【０００９】  一方、例えばハロン板等の反射型のものは、効率という点では透過型に比べて優れているが、拡散角度の制御性という点でやはり難点を有し、結果として光学的損失も生じる。【００１０】  さらに、上述したいずれのものにおいても、基本的には発光体からでた光を全て拡散させるという発想であるため、光源とディフューザとの離間寸法を十分とらないと十分な拡散効果が得られず、光照射エリアにおける照度分布の均一性を維持できない。そしてその結果、長さ方向にコンパクトな構成にすることが難しくなる。加えて、光源をある程度ディフューザから離間させるということは、ディフューザ表面での光照射面積が大きくなり、ディフューザそのものを大きくする必要が生じたり、さらに例えば拡散後に集光させようとすると大きなレンズが必要になって径方向のコンパクト性をも維持できなくなる。逆にディフューザやレンズをコンパクト化すると、利用されない光が増え、効率が悪くなる。
【特許文献１】  特開２０００−２６７０８８
【発明の開示】
【発明が解決しようとする課題】
【００１１】  そこで本発明は、光軸に略平行な光は拡散させずそのまま通過させるとともに、その周囲に拡がる光のみを拡散させ光照射エリアにおける照度分布の均一性を担保するようにしたものであって、光学的損失がミニマムで拡散角度と光照射エリアの制御性に優れるとともに、コンパクト化も容易で、さらには、どのような発光体にも適用可能な簡単な構成の光拡散素子を提供することをその主たる所期課題としたものである。
【課題を解決するための手段】
【００１２】  すなわち本発明に係る光拡散素子は、発光体からでる光の光軸上に設けられ、光軸と略平行に進む光を略散乱させることなく第１の光として通過させる通過部と、前記通過部の周囲に設けられ、光軸から所定角度以上外側に拡がる光を散乱させ第２の光として射出する拡散部とを備えてなり、前記第１の光が照射される領域で規定される光照射エリアに対し、前記拡散部が第２の光を照射してその光照射エリアにおける照度分布を制御するように構成していることを特徴とする。【００１３】  このようなものであれば、発光体から発される光のうち、光軸と平行又はこれに近い光は、通過部をそのまま通過して光照射エリアに至り、ほとんどロスを生じることがないため、従来のように全ての光を拡散させるものと比べて、効率の大幅な向上を図れる。また、通過部は例えば単に孔を設けておけばよく、拡散部もその孔の周囲に反射拡散面や透過拡散部材を形成すればよいだけであるため、非常に簡単な構成で実現することができる。しかも、その拡散部による光の制御も容易であるため、前記光照射エリアにおける照度分布の制御性にも優れたものとなる。さらに、発光体を近接させても制御性が阻害されることはないため、従来に比べ大幅なコンパクト化が可能になる。【００１４】  ここで「散乱させることなく」とは、１本の光線が直進又は途中で曲がったりしながらも分岐することなく進むことである。【００１５】  スポット照明等の用途に好適なものとするには、前記照度分布を所定の均一度に保つように構成しているものが望ましい。【００１６】  制御自由度をより高めるには、前記通過部に、光を屈折させる光学素子を設けているものが好ましい。【００１７】  所定角度以上拡がる光について、”反射”を用いて拡散させ、効率を最大化するには、前記拡散部が、光の光軸を側周方から取り囲むように配置された内向きの反射拡散面で構成したものであり、前記通過部がその反射拡散面に取り囲まれて形成される空間に設定したものであることが好ましい。【００１８】  さらにこのようなものであれば、反射拡散面の形状・大きささえ定めれば、必要とされる光照射エリアの形状や照度分布特性に容易に合わせ込むことができ、照射光の制御性という点でも極めて優れたものとなる。このことは、ユーザが任意に選択した既存の種々の発光体に対し、その特性に応じて容易に照射光を制御できるということでもあり、発光体との組み合わせ相性の制限の小さい、いわば使いやすい光拡散素子となり得る。またレンズ等の光学素子を組み合わせる場合に、その性能を最大限に引き出すべく、与えられた光学素子に合わせて形状等を設計することも容易にでき、従来とは全く逆の設計を行うことによる種々のメリットを享受することが可能になる。【００１９】  より簡単に本発明を実現するためには、前記反射拡散面を光軸に平行な円筒内面に形成しているものがよい。【００２０】  発光体から後方に発する光をも光照射エリアに導き得るようにし、効率を更に向上させるには、前記発光体の光射出方向とは逆側に設けられ、光射出方向側を向く面方向成分を有した反射面をさらに備えているものが望ましい。【００２１】  他の具体的実施態様としては、前記拡散部が、光を通過させつつ散乱さ���る透過散乱部材で構成したものを挙げることができる。【００２２】  前記発光体の具体的実施態様としては、ＬＥＤ、ＳＬＤ、ＬＤ、ＥＬ素子、冷陰極線源又は光ガイドの光出射端を挙げることができる。
【発明の効果】
【００２３】  以上に述べたように本発明によれば、光学的損失がミニマムであって、非常に簡単な構成で取り扱いやすい低コスト化が可能な光拡散素子を提供することができる。
【発明を実施するための最良の形態】
【００２４】  以下に本発明の一実施形態について図面を参照して説明する。【００２５】  本実施形態に係る光拡散素子１は、図１に示すように、発光体であるＬＥＤ２をその中央に保持する円盤状の底板３１と、その底板３１の周縁から起立する側周板３２とからなる先端を開口させた円筒状の構造体３を備えたもので、前記ＬＥＤ２や図示しない電源等と一体に組み込まれて光照射装置を構成する。【００２６】  この構造体３は、部材としては例えば先端要素３ａ、中間要素３ｂ、基端要素３ｃという３つの要素をこの順で螺合し組み合わせたものである。先端要素３ａは、側周板３２の先端部を形成するもので円筒状をなす。中間要素３ｂは、側周板３２の基端部と底板３１の内面を形成するもので、基端面を閉塞した円筒状なす。基端要素３ｃは底板３１の外面を形成するもので、円盤状をなし、基材に取り付けられるようにしてある。【００２７】  そして、このように構成した構造体３の底板３１における中央に、ＬＥＤ２を嵌合保持するＬＥＤ保持部たる貫通孔４を設け、ＬＥＤ２をその光軸Ｃが構造体３の中心軸と一致するように、前記貫通孔４にがたなく嵌合させている。またこのＬＥＤ２の軸方向の位置決めは、当該ＬＥＤ２の底部に形成された鍔部と前記中間要素３ｂの底面とが密接することにより行われるようにしてある。なお、このＬＥＤ２は、図示しないＬＥＤ素子を砲弾型の透明部材でモールドしたタイプのもので、貫通孔４に所定態様で嵌合保持させた状態では、前記ＬＥＤ素子が側方から見て貫通孔４から若干出るように設定してある。【００２８】  しかして本実施形態では、前記光軸Ｃと平行をなす側周板３２の内面に、所定の表面荒さに仕上げた拡散反射部である内向きの反射拡散面５を形成するとともに、この反射拡散面５に囲まれて形成される空間に、ＬＥＤ２から発される光のうち、光軸Ｃと平行又はこれに近い光を散乱させることなく通過させる通過部９を形成している。また前記底板３１の内面には反射面６を形成している。【００２９】  前記反射拡散面５は、側周板３２の基端側に設けられており、前記ＬＥＤ２及びそのＬＥＤ２からでる光の光軸Ｃを側周方から取り囲む。なお、前記側周板３２の内面に硫酸バリウム等を塗布したり、白色のテフロンリング等を嵌め込んだりして反射拡散面を形成するようにしても構わない。【００３０】  さらにこの実施形態では、前記側周板３２に光学素子である球状レンズ７を嵌め込み、固定するようにしている。具体的にこの球状レンズ７は、その径が側周板３２の内径よりも若干大きいものであり、側周板３２の内周面に周回させて形成したレンズ保持部であるレンズ保持溝８にその外周を嵌め込むようにして保持させてある。この球状レンズ７は、反射拡散面５の先端部開口である光射出口５ａを完全に覆うとともにＬＥＤ２側に一部が突出し、通過部９をその一部が構成するように配置してある。なお、組立方法としては、中間要素３ｂの先端部に球状レンズ７を嵌め込んだ後、先端要素３ａを中間要素３ｂに螺着することで球状レンズ７を挟み込んで固定する。球状レンズ７は、ＬＥＤ２の先端と近接又は接触させてよい。また、球状レンズ７の先端は構造体９の先端と略同じ高さとなるようにしてある。【００３１】  ��のような構成の下、ＬＥＤ２から発された光のうち、光軸Ｃとのなす角度が所定角度以内の光、すなわち光軸Ｃと平行又は略平行に進む光は、球状レンズ７で屈折するものの散乱することなく通過部９を直接通過して、外部に射出される。この射出光である第１の光は、図２に示すように、所定距離Ｄだけ離間した位置に照射され（実際の光はＸ字状をなすように途中でクロスする）、光照射エリアＡＲを規定する。ここで光照射エリアＡＲは、第１の光が照射される領域の全てとなるように規定されてもよいし、例えば中心の照度から所定割合の照度となるところまでが光照射エリアＡＲとして規定されるようにしてもよい。【００３２】  一方、光軸Ｃから所定角度以上外側に拡がる光は、反射拡散面５で１回乃至複数回散乱反射して球状レンズ７（光学素子）に導かれ、外部に射出される。この射出光である第２の光は、前記第１の光と重合し、前記光照射エリアＡＲの照度分布を、図３に示すように所定の均一度の範囲内に収まるように制御する。【００３３】  したがってこのようなものであれば、ＬＥＤ２から発される光のうち、光軸Ｃと平行又はこれに近い光は、散乱することなく外部に射出されほとんどロスを生じない。また光照射エリアＡＲにおける照度分布の均一度を担保するその他の光は、反射拡散面５で反射して到達したものであり、やはりロスは少ない。すなわち、この光拡散素子１は、光軸Ｃに略沿って進む光をそのまま温存する一方、所定角度以上拡がる光についてのみ、”反射”を用いて拡散させるというものであり、従来の透過型のものとは全く異なった構成であるため、ＬＥＤ２からの光を極めて効率よく光照射エリアに照射することができる。【００３４】  また、反射拡散面５の形状・大きさ（より具体的には長さ・半径）さえ定めれば、必要とされる光照射エリアＡＲの形状、大きさ、照度分布特性等を容易に合わせ込むことができ、制御性という点でも極めて優れたものとなる。このことは、ユーザが任意に選択した既存の種々の発光体に対し、その特性に応じて容易に照射光を制御できるということでもあり、発光体との組み合わせ相性に制限の小さい、いわば使いやすい光拡散素子１となり得る。【００３５】  しかも、この光拡散素子１は、円筒状の構造体３を主要構成とする簡単な構造であるうえ、光学素子にも安価な球状レンズ７を嵌め込んだだけのものであるため、低コスト化にも寄与し得る。また、球状レンズ７を有していることから光の制御自由度がより高く、さらにはＬＥＤ２と球状レンズ７との距離も近接させられることから、コンパクトな構成にもできる。【００３６】  また、発光体本体であるＬＥＤ素子よりも後方に、前記光射出口５ａ側を向く反射面６を設け、当該ＬＥＤ素子から後方に発する光をもこの反射面６で反射させて光射出口５ａに導くようにしているため、効率を更に向上させることができる。【００３７】  実際にこの光拡散素子１を用いて光照射エリアＡＲの照度を撮像した具体例を図４に示す。一方、比較としてＬＥＤにレンズや反射鏡等を付けた市販の懐中電灯型の光照射装置による同一条件での光照射例を図５に示す。本実施形態のものによれば、光照射エリアＡＲの照度分布ムラがほとんど無いことは明らかであろう。しかも前記��中電灯に比べ、構造はむしろ簡単なのである。【００３８】  なお、本発明は前記実施形態に限られるものではない。以下の図示例においては、前記実施形態に対応する部材には同様の符号を付すこととする。【００３９】  例えば、図６に示すように、単純には散乱面を有するシート乃至プレートを丸めて反射拡散面５及び通過部９を形成し、これを光拡散素子１としてもよいし、図７に示すように、板材に厚み方向に貫通孔を設け、その貫通孔を通過部９とするとともに、貫通孔の内周面を反射拡散面５としてもよい。もちろん通過部９には、前記実施形態のような球状レンズを装着してもよいし、ガラスや樹脂等の透明窓材を嵌め込むようにしても良い。その他に、例えば凸レンズや凹レンズ、或いはミラー、フィルタ等の光学素子でもよく、必要であるならば、光射出口を形成する部材と光学素子とを一体成形するような態様でも構わない。【００４０】  反射拡散面は、発光体から発された光をできるだけ効率よく反射する部材で形成されていることが望ましく、光の波長によってより効率のよい反射を得るために種々の部材を選択してよいのは言うまでもない。また、この反射拡散面は、光軸と平行な円筒内面に限られず、光軸に対し斜めの面であってもよいし、光照射エリアの照度分布の均一度を向上させるために、図８に示すように、断面輪郭が湾曲するようなものであってもよい。【００４１】  反射面６は、その面方向が、光射出口を向く成分を含んでいればよく、例えば図９に示すように反射拡散面５から連続して形成される半球面状等のものであっても構わない。この場合光射出口５ａを光学素子等によって閉塞し、その内部空間を不活性ガス等の所望の屈折率を有した気体（或いは液体や固体）で充填したり、あるいは真空にしたりして、効率の向上等を図ってもよい。【００４２】  一方、これまでは、拡散部が反射拡散面であるとして説明を進めてきたが、例えば、図１０、図１１に示すように、透過拡散部材（拡散板）で拡散部５を形成するようにしてもよい。この例では、平板状をなす拡散板に厚み方向に貫通孔を形成し、その貫通孔を通過部９とするとともに、貫通孔、すなわち通過部９の周囲の拡散板部分を拡散部５として機能させるようにしている。このようなものであれば、極めて簡単な構成で実現することが可能である。【００４３】  また、この通過部にレンズを設けても良いし、例えば図１２に示すように拡散板を球面状に湾曲させ、それに球状レンズ７を嵌め込むようにしても構わない。この考えをさらに推し進め、図１３に示すような構成にしてもよい。すなわち、レンズ７の側周部における面を例えば荒く仕上げて拡散部５とし、その拡散部５に囲繞される光軸Ｃ周りの部位に通過部９を形成するようにしてもよい。【００４４】  さらに上述した拡散部は、自ら蛍光や燐光を発するなど、何らかの発光特性を有する部材で形成してもよいのはもちろんである。【００４５】  光学素子は球状レンズに限られず、半球状のレンズや通常の凸レンズでもよいし、図１４に示すように凹面と凸面を有したような光学素子７でも構わない。このように光学素子の選択自由度が大きいのは、本発明に係る光拡散素子がイメージングを目的とするものではなく、あくまで光照射エリアでの照���分布の制御性を目的とするものであるためであり、前記光学素子に厳密な設計や構造を必要としないからである。もちろん光学素子は必ずしも必要なく、例えば近接照明であれば、光学素子が無くとも、光照射エリアにおいて非常に均一で美しい照度分布を得ることができる。【００４６】  発光体も、ＬＥＤに限られず、ＳＬＤ、ＬＤ、ＥＬ素子、冷陰極線源等であってよいし、光ファイバ等の光ガイドの光出射端であっても構わない。もちろん、ＬＥＤ素子やＳＬＤ素子、ＬＤ素子等のように、コーティングやレンズ部品を取り付ける前の発光素子そのものが発光体であっても前記実施形態と同様の作用効果を奏し得る。さらに、発光体は単数のみならず、複数であってよいし、複数の場合は各発光体の色を異ならせることによって、色を合成することも可能である。【００４７】  その他、本発明は前記図示例等に限られず、その趣旨を逸脱しない範囲で種々変形が可能である。
【図面の簡単な説明】
【００４８】
【図１】  本発明の一実施形態における光拡散素子の全体配置構成を示す縦断面図。
【図２】  同実施形態における光拡散素子による光拡散態様を示す模式図。
【図３】  同実施形態における光照射エリアの照度分布の一例を示す照度分布図。
【図４】  同実施形態における光照射エリアを実際に撮像した撮像図。
【図５】  他の光照射装置で形成した光照射エリアを実際に撮像した撮像図。
【図６】  本発明の他の実施形態における光拡散素子を示す模式的斜視図。
【図７】  本発明のさらに他の実施形態における光拡散素子を示す模式的斜視図。
【図８】  本発明のさらに他の実施形態における光拡散素子を示す模式的縦端面図。
【図９】  本発明のさらに他の実施形態における光拡散素子を示す模式的縦端面図。
【図１０】  本発明のさらに他の実施形態における光拡散素子を示す模式的縦端面図。
【図１１】  同実施形態における光拡散素子による光拡散態様を示す模式図。
【図１２】  本発明のさらに他の実施形態における光拡散素子を示す模式的縦端面図。
【図１３】  本発明のさらに他の実施形態における光拡散素子を示す模式的縦端面図。
【図１４】  本発明のさらに他の実施形態における光学素子を示す正面図。
【符号の説明】
【００４９】１・・・光拡散素子
２・・・発光体（ＬＥＤ）
３・・・光学素子（球状レンズ）
５・・・拡散部（反射拡散面）
６・・・反射面
９・・・通過部
Ｃ・・・光軸
【図１】
2005195708.tif 000003
【図２】
2005195708.tif 000004
【図３】
2005195708.tif 000005
【図４】
2005195708.tif 000006
【図５】
2005195708.tif 000007
【図６】
2005195708.tif 000008
【図７】
2005195708.tif 000009
【図８】
2005195708.tif 000010
【図９】
2005195708.tif 000011
【図１０】
2005195708.tif 000012
【図１１】
2005195708.tif 000013
【図１２】
2005195708.tif 000014
【図１３】
2005195708.tif 000015
【図１４】
2005195708.tif 000016